(57)【要約】【課題】深い興趣を遊技者に与えるようにする。【解決手段】第１ステージ部４５は落下部４６ａ，４６ｂと移流部４８とを有し、第２ステージ部５５は移行部５８ａ，５８ｂを有し、回転体８０は第２ステージ部５５において移流部４８の下流側に設けられ、その周方向に沿って凹状収容部８５Ａ及び凸状収容部８５Ｂと遮断部８６とを有し、凹状収容部８５Ａは、移流部４８に対応した状態で遊技球の流入を許容して流出路到達可能位置まで遊技球を保持するものであり、凸状収容部８５Ｂは、移流部４８に対応した状態で遊技球の流入を許容して流出路到達可能位置に至る前の第２ステージ部対応位置まで遊技球を保持し、第２ステージ部対応位置で遊技球が凸状収容部８５Ｂから離脱して第２ステージ部５５に至るものであり、遮断部８６は、移流部４８に対応した状態で遊技球の収容部８５Ａ，８５Ｂへの流入を許容しないものである。【選択図】図２
2005111191.tif 000002
【特許請求の範囲】
【請求項１】
役物を有する弾球遊技機であって、
前記役物は、第１ステージ部と、第２ステージ部と、回転体と、流出路とを有し、
前記第１ステージ部は、左右方向に延び、遊技球が落下して当該役物の外部に流出する落下部と、前記回転体に対応する移流部とを有し、
前記流出路は、前記第１ステージ部よりも下側において遊技球が当該役物の外部に流出するものであり、
前記第２ステージ部は、前記第１ステージ部の奥側において前記第１ステージ部よりも高い位置に位置し、遊技球が第１ステージ部に移行する移行部を有し、
前記回転体は、前記第２ステージ部において前記移流部の下流側に設けられ、当該役物の幅方向に平行な成分を有する回転軸線を中心に回転し、その周方向に沿って、遊技球を収容する第１収容部及び第２収容部と遊技球を収容しない遮断部とを有し、
前記第１収容部は、当該第１収容部が前記移流部に対応した状態で遊技球の当該第１収容部への流入を許容し、当該回転体の回転に伴って、当該遊技球が前記流出路に至り得る流出路到達可能位置まで当該遊技球を保持するものであり、
前記第２収容部は、当該第２収容部が前記移流部に対応した状態で遊技球の当該第２収容部への流入を許容し、当該回転体の回転に伴って、当該遊技球が前記流出路到達可能位置に至る前の第２ステージ部対応位置まで当該遊技球を保持し、その第２ステージ部対応位置で当該遊技球が当該第２収容部から離脱して前記第２ステージ部に至るものであり、
前記遮断部は、前記移流部に対応した状態で、遊技球の前記第１収容部及び前記第２収容部への流入を許容しないものである、
弾球遊技機。
【請求項２】
請求項１に記載の弾球遊技機であって、
前記第１収容部は、当該回転体の周方向に沿って当該回転体の回転軸線に接近する方向に凹状をなすとともに、その底面が、当該回転体の回転軸線と平行な方向に沿って当該回転軸線に接近する方向に凹状をなし、
前記第２収容部は、当該回転体の周方向に沿って当該回転体の回転軸線に接近する方向に凹状をなすとともに、その底面が、当該回転体の回転軸線と平行な方向に沿って当該回転軸線から離隔する方向に凸状をなし、前記移流部に対応する状態から遊技球が前記第２ステージ部対応位置に位置する状態までは他の部材とともに、当該第２収容部内に遊技球を保持するものである、
弾球遊技機。
【請求項３】
請求項１又は請求項２に記載の弾球遊技機であって、
前記流出路の下流側に所定の入賞口を有する、
弾球遊技機。
【発明の詳細な説明】
【技術分野】
【０００１】
本発明は、パチンコ機等の弾球遊技機に関するものである。
【背景技術】
【０００２】
従来より、弾球遊技機のセンター役物には、ステージ部に対して振分け機構を有しているものがある。すなわち、そのタイプのセンター役物では、ステージ部に流入した遊技球が、そのステージ部上を転動した後に、振分け機構によって複数の方面に流出するようにされている。
【０００３】
例えば、特許文献１には、センター役物（弾球遊技機）の幅方向に延びる回転軸線を中心に回転可能に振分け回動板が設けられている。振分け回動板の第１面は案内面とされ、第２面は分散面とされている。
そして、振分け回動板が回転することに伴って、その第１面（案内面）が上側になっている場合には、その案内面上に乗載した遊技球が、所定の方面に流出するように案内される。一方、その第２面（分散面）が上側になっている場合には、その分散面上に乗載した遊技球は、所定の方面に流出するように案内されることはなく、種々の方面に分散して流出する。
【０００４】
しかしながら、特許文献１に記載のセンター役物（弾球遊技機）では、遊技球の流れに２つのパターンしかなく、遊技者に対してあまり深い興趣を与えることができなかった。
【特許文献１】特開平１０−５７５５４公報
【発明の開示】
【発明が解決しようとする課題】
【０００５】
本発明は、役物においてさらに深い興趣を遊技者に与えることができる弾球遊技機を提供することを目的とする。
【課題を解決するための手段】
【０００６】
上記の目的を達成するために、請求項１に係る発明は、役物を有する弾球遊技機であって、前記役物は、第１ステージ部と、第２ステージ部と、回転体と、流出路とを有し、前記第１ステージ部は、左右方向に延び、遊技球が落下して当該役物の外部に流出する落下部と、前記回転体に対応する移流部とを有し、前記流出路は、前記第１ステージ部よりも下側において遊技球が当該役物の外部に流出するものであり、前記第２ステージ部は、前記第１ステージ部の奥側において前記第１ステージ部よりも高い位置に位置し、遊技球が第１ステージ部に移行する移行部を有し、前記回転体は、前記第２ステージ部において前記移流部の下流側に設けられ、当該役物の幅方向に平行な成分を有する回転軸線を中心に回転し、その周方向に沿って、遊技球を収容する第１収容部及び第２収容部と遊技球を収容しない遮断部とを有し、前記第１収容部は、当該第１収容部が前記移流部に対応した状態で遊技球の当該第１収容部への流入を許容し、当該回転体の回転に伴って、当該遊技球が前記流出路に至り得る流出路到達可能位置まで当該遊技球を保持するものであり、前記第２収容部は、当該第２収容部が前記移流部に対応した状態で遊技球の当該第２収容部への流入を許容し、当該回転体の回転に伴って、当該遊技球が前記流出路到達可能位置に至る前の第２ステージ部対応位置まで当該遊技球を保持し、その第２ステージ部対応位置で当該遊技球が当該第２収容部から離脱して前記第２ステージ部に至るものであり、前記遮断部は、前記移流部に対応した状態で、遊技球の前記第１収容部及び前記第２収容部への流入を許容しないものである、弾球遊技機である。
【０００７】
上記発明の弾球遊技機では、第１ステージ部を転動してその移流部に至った遊技球は、その時点における回転体の状態及びその遊技球の勢いによって、次のような種々のパターンで移動する。
【０００８】
遊技球が移流部に至った時点において回転体が遮断状態（遮断部が移流部に対応した状態のことをいう）にある場合には、その遊技球は、回転体の第１収容部又は第２収容部に流入することなく、第１ステージ部を転動した後に、落下部から当該役物の外部へ流出する。
また、遊技球が移流部に至った時点において回転体が第１流入許容状態（第１収容部が移流部に対応した状態のことをいう）又は第２流入許容状態（第２収容部が移流部に対応した状態のことをいう）にあっても、その遊技球に第１ステージ部に沿った方向に大きな勢いがある場合には、上述と同様に、その遊技球は、回転体の第１収容部又は第２収容部に流入することなく、第１ステージ部を転動した後に、落下部から当該役物の外部へ流出する。
以上が第１のパターンである。
【０００９】
遊技球が移流部に至った時点において、回転体が第１流入許容状態にあるとともに、遊技球に第１ステージ部に沿った方向に大きな勢いがない場合には、その遊技球は、移流部から回転体の第１収容部内に流入し、第１収容部内に収容される。
そして、回転体が回転することによって、その遊技球は第１収容部に保持された状態で、流出路到達可能位置まで移動する。そして、その遊技球は、流出路到達可能位置において第１収容部から離脱して、流出路にまで至り、流出路から当該役物の外部へ流出する。
これが第２のパターンである。
【００１０】
遊技球が移流部に至った時点において、回転体が第２流入許容状態（第２収容部が移流部に対応した状態のことをいう）にあるとともに、遊技球に第１ステージ部に沿った方向に大きな勢いがない場合には、その遊技球は、移流部から回転体の第２収容部内に流入し、第２収容部内に収容される。
その状態で回転体が回転することによって、その遊技球は第２収容部に保持された状態で、第２ステージ部対応位置まで移動する。そして、その遊技球は、第２ステージ部対応位置において第２収容部から離脱して、第２ステージ部に至る。
これが第３のパターンである。
第３のパターンの場合においては、遊技球は、第２ステージ部に至った後に、上述の第１〜第３のパターンのいずれかのパターンで移動する。
【００１１】
以上のように、上記の発明の弾球遊技機（役物）では、回転体の状態及びその遊技球の勢いによって遊技球の流れに大きな多様性があり、遊技者に対して深い興趣を与えることができる。
【００１２】
請求項２に係る発明は、請求項１に係る発明の弾球遊技機であって、前記第１収容部は、当該回転体の周方向に沿って当該回転体の回転軸線に接近する方向に凹状をなすとともに、その底面が、当該回転体の回転軸線と平行な方向に沿って当該回転軸線に接近する方向に凹状をなし、前記第２収容部は、当該回転体の周方向に沿って当該回転体の回転軸線に接近する方向に凹状をなすとともに、その底面が、当該回転体の回転軸線と平行な方向に沿って当該回転軸線から離隔する方向に凸状をなし、前記移流部に対応する状態から遊技球が前記第２ステージ部対応位置に位置する状態までは他の部材とともに、当該第２収容部内に遊技球を保持するものである、弾球遊技機である。
【００１３】
上記の発明の弾球遊技機では、次のように、請求項１に係る発明の作用及び効果がより具体的に得られる。
第１収容部については、次のとおりである。
第１収容部が回転体の周方向に沿って当該回転体の回転軸線に接近する方向に凹状をなしているために、第１収容部が移流部に対応した状態（第１流入許容状態）の際に、遊技球は第１収容部内に流入可能である。
また、第１収容部の底面が回転体の回転軸線と平行な方向に沿って当該回転軸線に接近する方向に凹状をなしているために、回転体の回転に伴って、少なくとも第１収容部が下方成分を有する方向を向く状態まで、遊技球は、重力に基づいて第１収容部から離脱することなく、第１収容部に保持される。このため、第１収容部が下方成分を有する方向を向く状態となって遊技球が第１収容部から離脱する位置に対応して流出路が形成される（これによって、当該位置が流出路到達可能位置に該当することとなる）ことによって、その遊技球は、流出路に至ることができる。
【００１４】
一方、第２収容部については、次のとおりである。
第２収容部が回転体の周方向に沿って当該回転体の回転軸線に接近する方向に凹状をなしているために、第２収容部が移流部に対応した状態（第２流入許容状態）の際に、遊技球は第２収容部内に流入可能である。
そして、第２収容部の底面が回転体の回転軸線と平行な方向に沿って当該回転軸線から離隔する方向に凸状をなしており、当該第２収容部が移流部に対応する状態から第２ステージ部対応位置に位置する状態までは他の部材とともに遊技球を当該第２収容部内に保持するものである。このため、遊技球は、第２ステージ部対応位置までは第２収容部内に保持されて移動し、第２ステージ部対応位置においては、第２収容部が上方成分を有する方向に向いている状態でも、第２収容部が重力に基づいて第２収容部から離脱して、第２ステージ部に至る。
【００１５】
以上のようにして、上記発明の弾球遊技機では、第１収容部内に収容された遊技球は流入部まで至るとともに、第１収容部内に収容された遊技球は第２ステージ部に至るのである。
【００１６】
請求項３に係る発明は、請求項１又は請求項２に係る発明の弾球遊技機であって、前記流出路の下流側に所定の入賞口を有する、弾球遊技機である。
【００１７】
上記の発明の弾球遊技機では、請求項１又は請求項２に係る発明の弾球遊技機の作用及び効果に加えて、次の作用及び効果が得られる。
すなわち、上記の発明の弾球遊技機では、流出路の下流側に所定の入賞口が設けられているため、遊技球が流出路を通って役物から流出した場合は当該所定の入賞口に入賞する可能性が高く、落下部を経て役物から流出した場合は当該所定の入賞口に入賞する可能性が低くなる。
このように、この弾球遊技機では、遊技球が多様なパターンで役物内を移動して流出するとともに、それと関連してその遊技球が入賞口に入賞する可能性が変動して、遊技者に対して深い興趣を与えることができる。
【発明の効果】
【００１８】
以上のように、本発明の弾球遊技機では、遊技球の流れに大きな多様性が生じ、遊技者に対して深い興趣を与えることができる。
【発明を実施するための最良の形態】
【００１９】
次に、本発明の一実施形態を図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。ハンドル１２は、パチンコ球（遊技球）の発射操作をするものであり、賞球払い出し装置は、各入賞口（後述）にパチンコ球が入賞した場合にパチンコ球を賞球として払い出すものである。
【００２０】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。そして、遊技者がハンドル１２を操作することによって発射されたパチンコ球は、通路を通り、遊技領域へと導かれるのである。
【００２１】
遊技盤１０（遊技領域）には、多数の釘（図示省略）や風車２６が設けられているとともに、複数の普通入賞口２０が設けられている。普通入賞口２０にパチンコ球が入った場合には、例えば６又は１３個のパチンコ球が賞球として賞球払い出し装置から払い出される。
【００２２】
遊技盤１０のほぼ中央にはセンター役物３０が設けられている。センター役物３０の下方には始動入賞口２２が設けられ、その下方には大入賞口２４が設けられている。
【００２３】
センター役物３０には、表示部３２が設けられている。表示部３２は液晶によって構成され、種々の図柄が表示される。
すなわち、始動入賞口２２にパチンコ球が入る（これを入賞という）と、表示部３２における図柄が所定の時間変動表示され、その後、最終的な図柄が静止表示される。静止表示された図柄には「当たり」と「はずれ」があり、「当たり」の場合（例えば「７７７」）には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物３０が遊技者に与える特別な利益ということとする。
【００２４】
図２〜図５に示すように、センター役物３０は、基枠部材４０，奥側部材５０，裏板７０を有している。
各部材は、所定の部材に形成されたビス孔（符号省略）を通して所定の部材に形成されたビス穴（符号省略）にビス（図示省略）が螺合されることによって、結合されている。
センター役物３０は、左右対称の形状を有している。
【００２５】
基枠部材４０は、ほぼ四角形状の開口部４１を有している。開口部４１の左右両側及び上部にわたってフランジ部４２が形成されている。基枠部材４０（フランジ部４２）のうちの上部には、上部装飾部材３８が取り付けられている。
【００２６】
奥側部材５０は、基枠部材４０の裏側（奥側）に対して取り付けられている。裏板７０は、奥側部材５０の裏側に対して取り付けられている。
センター役物３０の奥側には、表示部３２（図１に基づいて前述。図２以降においては図示省略）が設けられ、表示部３２は、センター役物３０の手前側から開口部４１を通して視認可能である。
【００２７】
図２及び図３に示すように、センター役物３０のうちの下部には、ステージ部３５として、第１ステージ部４５及び第２ステージ部５５が形成されている。
図２〜図５に示すように、第１ステージ部４５は基枠部材４０に形成され、手前側に位置している。第２ステージ部５５は奥側部材５０に形成され、第１ステージ部４５の奥側に位置している。
【００２８】
第１ステージ部４５には、左右一対の落下部４６ａ，４６ｂが形成されている。落下部４６ａ，４６ｂは、凹状とされ、奥側から手前側に向かうにつれて徐々に若干下方に向かうように傾斜している。
第１ステージ部４５のうちの落下部４６ａ，４６ｂ以外の部分における手前側の縁部には、落下防止部４７が形成されている。落下防止部４７は、フランジ部４２の一部であり、第１ステージ部４５（その底面）よりも若干上方に突出している。落下防止部４７によって、第１ステージ部４５上のパチンコ球が手前側（センター役物３０の外側）に落下することが防止される。
第１ステージ部４５の中央部には移流部４８が形成されている。移流部４８は、凹状とされ、手前側から奥側に向かうにつれて徐々に若干下方に向かうように傾斜している。
【００２９】
第１ステージ部４５の左右の各端部と各落下部４６ａ，４６ｂとの間の部分は、左右の各端部から各落下部４６ａ，４６ｂに向かうにつれて徐々に若干下方に向かうように傾斜している。
第１ステージ部４５の移流部４８と各落下部４６ａ，４６ｂとの間の部分のうちの少なくとも各落下部４６ａ，４６ｂの側の部分は、移流部４８の側から各落下部４６ａ，４６ｂに向かうにつれて徐々に若干下方に向かうように傾斜している。
第１ステージ部４５の奥側においては、奥側部材５０の前板部５６によって、第１ステージ部４５上のパチンコ球の奥側の限界位置が規定されている。
【００３０】
第２ステージ部５５（その底面）は、第１ステージ部４５（その底面）よりも上方に位置し、ほぼぼ水平に形成されている。正確にいうと、第２ステージ部５５（その底面）は、中央部から左右の各端部に向かうにつれて徐々に若干下方に向かうように傾斜しているとともに、奥側から手前側に向かうにつれて徐々に下方に向かうように傾斜している。
【００３１】
図４及び図５に示すように、第２ステージ部５５（奥側部材５０）の左右方向の中央部には、回転体収容支持部６０が形成されており、回転体収容支持部６０には、回転体８０が収容され回転可能に支持されている。これについては、後に詳述する。
【００３２】
図２〜図５に示すように、第２ステージ部５５のうちの左右の各端部（その近傍を含む）及び回転体収容支持部６０以外の部分における手前側の縁部に、落下防止部５７が形成されている。落下防止部５７は、前板部５６の一部であり、第２ステージ部５５（その底面）よりも若干上方に突出している。落下防止部５７によって、第２ステージ部５５上のパチンコ球が手前側（第１ステージ部４５）に落下することが防止される。
【００３３】
第２ステージ部５５のうちの左右の両端部には落下防止部５７が形成されておらず（このことは前述）、移行部５８ａ，５８ｂとされており、第２ステージ部５５上のパチンコ球は、移行部５８ａ，５８ｂを経て第１ステージ部４５に移行（落下）可能である。
第２ステージ部５５の奥側においては、裏板７０によって、第２ステージ部５５上のパチンコ球の奥側の限界位置が規定されている。
【００３４】
図２〜図５に示すように、センター役物３０の左右両側（基枠部材４０のフランジ４２のうちの左右両側の部分）の中途高さ位置には、流入口部材３３ａ，３３ｂが取り付けられている。
【００３５】
センター役物３０の左右の両側には、次のように、流下部３４ａ，３４ｂ（図２参照）が形成されている。図４に示すように、基枠部材４０のフランジ部４２のうちの左右両側の部分には、流入口部材３３ａ，３３ｂに対応して流入孔４３ａ，４３ｂが形成されている。フランジ部４２のうちの左右両側の部分における裏側のうちの流入孔４３ａ，４３ｂ及びそれよりも下側部分には、図５に示すように、流下用溝部４４ａ，４４ｂが形成されている。
一方、奥側部材５０には、一対の流下用溝部４４ａ，４４ｂに対応して一対の閉塞蓋部５４ａ，５４ｂが形成されており、各閉塞蓋部５４ａ，５４ｂが流下用溝部４４ａ，４４ｂを塞いでいる。
こうして、センター役物３０の左右の両側には流下部３４ａ，３４ｂが形成され、その下流側に第１ステージ部４５（前述）が位置する。
【００３６】
図４及び図５に示すように、第２ステージ部５５（奥側部材５０）の回転体収容支持部６０は、次のように形成されている。
第２ステージ部５５の中央部において、一対の縦板部６２ａ，６２ｂが、第２ステージ部５５（その底面）から下方に向けて設けられ、その下端部同士は底板部６４によって連結されている。底板部６４の上面は、奥側から手前側に向かうにつれて徐々に下方に向かうように傾斜している。一対の縦板部６２ａ，６２ｂ及び底板部６４によって形成される空間の裏側部分は、裏板７０によって閉塞されている。
このようにして、回転体収容支持部６０が形成されている。
回転体収容支持部６０が形成されることによって、第２ステージ部（前板部５６を含む）には一対の中央端部５９が形成されている。
【００３７】
図４及び図５に示すように、回転体収容支持部６０には、回転体８０が回転可能に収容されている。
図４〜図７に示すように、回転体８０は、扁平な円柱をベースとして、その周面に等角度間隔を隔てて３つの窪み状の収容部８５が設けられて形成されている。すなわち、収容部８５は、回転体８０の周方向に沿って回転体８０の中心軸線（回転軸線）に接近する方向に凹状をなしている。
回転体８０の周面のうち収容部８５が設けられていない部分は、遮断部８６とされている。
【００３８】
図４及び図５に示すように、回転体８０の中心孔８１（中心軸線）には回転軸８２が挿通されている。回転軸８２は、センター役物３０の幅方向に延び、各縦板部６２ａ，６２ｂに形成された一対の軸支持用溝部６３に支持され、裏板７０に形成された一対の位置決め用棒部７３が各軸支持用溝部６３に嵌合されることによって、所定の位置に位置決めされている。
図７に示すように、裏板７０にはモータ９０が設けられ、モータ９０の回転軸９２に設けられたプーリ９３と回転体８０の回転軸８２に設けられたプーリ８３との間にベルト９４が掛け渡され、モータ９０（回転軸）の回転によって、回転体８０は、回転軸８２（回転軸線）を中心に回転する。その一例として、常に所定の速度で回転している、という態様がある。
回転体８０は、図７中時計回り方向に回転するようにされている。すなわち、回転体８０のうち回転軸８２よりも上の部分が手前側から奥側に向かい、回転軸８２よりも下の部分が奥側から手前側に向かうように、回転体８０は回転する。
【００３９】
図７に示すように、回転軸８２は、第１ステージ部４５の移流部４８（その底面）よりも若干上方に位置している。
そして、図１０Ａ→図１０Ｂ，図１２Ａ→図１２Ｂに示すように、一の収容部８５が回転体８０のうちの手前側の部分に位置して移流部４８に対応する状態（その状態を流入許容状態ということとする）には、移流部４８に位置して移流部４８（その底面）に沿って奥側に転動するパチンコ球Ｂは、その収容部８５内に流入する（第１ステージ部４５よりも奥側に移行する）。
一方、図９Ａ→図９Ｂに示すように、遮断部８６が回転体８０のうちの手前側の部分に位置して移流部４８に対応する状態（その状態を遮断状態ということとする）には、移流部４８に位置するパチンコ球Ｂは、遮断部８６によって、第１ステージ部４５よりも奥側に移行することが阻止される。
回転体８０及び第１ステージ部４５は、このような位置関係にある。
【００４０】
図６〜図８Ｂに示すように、回転体８０には３つの収容部８５が形成されているが（このことは前述）、詳しく述べると、そのうちの１つは凹状収容部８５Ａ（第１収容部）であり、２つは凸状収容部８５Ｂ（第２収容部）である。
【００４１】
図６（Ａ）及び図８Ａに示すように、凹状収容部８５Ａ（第１収容部）は、その底面が、センター役物３０の幅方向（回転軸線と平行な方向）に沿って、その中央部から左右の各端部に向かうにつれて徐々に回転軸線に対して若干離隔するように、凹状に湾曲している。
このため、凹状収容部８５Ａが回転体８０のうちの上側の部分に位置する（凹状収容部８５Ａが上方成分を有する方向を向く）場合に、凹状収容部８５Ａの底面は、その中央部から左右の各端部に向かうにつれて徐々に若干上方に向かうように傾斜する。
このため、その場合には、凹状収容部８５Ａに収容されたパチンコ球Ｂは、重力に基づいて左右のいずれかに落下（離脱）するようなことはなく、凹状収容部８５Ａに保持される。
【００４２】
一方、図６（Ｂ）及び図８Ｂに示すように、凸状収容部８５Ｂは、その底面が、センター役物３０の幅方向（回転軸線と平行な方向）に沿って、その中央部から左右の各端部に向かうにつれて徐々に回転軸線に対して若干接近するように、凸状に湾曲している。
このため、凸状収容部８５Ｂが回転体８０のうちの上側の部分に位置する（凸状収容部８５Ｂが上方成分を有する方向を向く）場合には、凸状収容部８５Ｂの底面は、その中央部から左右の各端部に向かうにつれて徐々に若干下方に向かうように傾斜する。
【００４３】
そして、図１２Ｃに示すように、凸状収容部８５Ｂが上方を向いた状態で、凸状収容部８５Ｂの底面（そのうちの左右の各端部）は、第２ステージ部５５（その底面）と同一高さ位置又はそれよりも高い位置にある（そのような位置関係とされている）。
このため、図８Ｂ（ａ）及び図１２Ｄに示すように、凸状収容部８５Ｂが上方を向いた状態で、凸状収容部８５Ｂに収容されたパチンコ球Ｂは、重力に基づいて、凸状収容部８５Ｂから左右のいずれかに落下（離脱）し、凸状収容部８５Ｂ（回転体８０）から第２ステージ部５５に移行する。
【００４４】
図２〜図５に示すように、基枠部材４０のうちの第１ステージ部４５よりも下側には、流出路４９が形成されている。流出路４９は、フランジ部４２において開口するとともに、図４及び図５に示すように、奥側に向かって略四角筒状に延び、図７に示すように、回転体収容支持部６０と接続されている。流出路４９の底面は、奥側から手前側に向かうにつれて徐々に下方に向かうように傾斜している。
こうして、図１１Ｃ→図１１Ｄに示すように、回転体８０の凹状収容部８５Ａにパチンコ球Ｂが収容（保持）された状態で回転体８０が回転し、凹状収容部８５Ａが斜め下方を向く状態となることによって、パチンコ球は、凹状収容部８５Ａから落下し、回転体収容支持部６０の底部及び流出路４９を流れ、流出路４９（その開口部４１）からセンター役物３０の外部に流出する。
【００４５】
次に、このパチンコ機の作用及び効果について、図に基づいて説明する。
遊技盤１０（図１参照）上を転動したパチンコ球（遊技球）が左側の流入口部材３３ａに流入した場合を説明する。なお、前述したように、このセンター役物３０は左右対称の構造を有しているため、右側の流入口部材３３ｂに流入した場合も同様である。
パチンコ球の流れには、回転体８０の状態及びパチンコ球の勢いによって、３つのパターンがある。
【００４６】
図４，図５，図９Ａ，図１０Ａ，図１２Ａに示すように、流入口部材３３ａに流入したパチンコ球Ｂは、流入孔４３ａを経て流下部３４ａに流入し、流下部３４ａを流下（落下）し、第１ステージ部４５（その左端部）に到達する。そして、そのパチンコ球Ｂは、それまでの勢い等に基づいて、第１ステージ部４５を右方向に転動し、移流部４８に至る。
【００４７】
そして、図９Ａ→図９Ｂに示すように、パチンコ球Ｂが移流部４８に位置する時点で回転体８０が遮断状態にある場合には、パチンコ球Ｂは移流部４８から奥側に移流することが阻止され、右方向又は左方向に転動し、落下部４６ａ，４６ｂから流出する。
その下方には始動入賞口２２は存在しておらず、始動入賞口２２に入賞する可能性は非常に低いことになる。
なお、パチンコ球Ｂが移流部４８に位置する時点で回転体８０が流入許容状態にある場合においても、パチンコ球Ｂに右方向への大きな勢いがある場合には、そのパチンコ球Ｂは移流部４８を通過して右側の落下部４６ｂから流出する。右側の落下部４６ｂも通過した後に流下用溝部４４ｂ（図５参照）によって跳ね返った後に右側の落下部４６ｂから（又はさらに転動して左側の落下部４６ａから）流出する場合もあり得る。
以上が第１のパターンである。
【００４８】
図１０Ａ→図１０Ｂ，図１２Ａ→図１２Ｂに示すように、パチンコ球Ｂが移流部４８に位置する時点で回転体８０が流入許容状態にある場合であってパチンコ球Ｂにそれほどの勢いがない場合（第２のパターン・第３のパターン）には、パチンコ球Ｂは、移流部４８から収容部８５に流入し、収容部８５内に収容される。そして、回転体８０の回転に伴って、その収容部８５とともにパチンコ球Ｂは、上方にかつ奥側に移動する。
【００４９】
図１０Ａ・図１１Ａに示すように、回転体８０が流入許容状態にある場合のうち、回転体８０が凹状収容部８５Ａによって流入許容状態にある場合（第１流入許容状態）には、図１０Ｂ・図１１Ｂ→図１０Ｃ・図１１Ｃ→図１０Ｄ・図１１Ｄに示すように、その凹状収容部８５Ａ内に流入したパチンコ球Ｂは、その凹状収容部８５Ａに収容された状態で、回転体８０とともに回転する。
すなわち、パチンコ球Ｂは、凹状収容部８５Ａが上方を向く状態（図１０Ｃ・図１１Ｃ）を経て、凹状収容部８５Ａが下方成分を有する方向を向く状態（図１０Ｄ・図１１Ｄ）となるまでその凹状収容部８５Ａ内に収容された状態で回転体８０とともに回転する。
そして、図１０Ｄ・図１１Ｄに示すように、凹状収容部８５Ａが下方成分を有する方向（斜め下方）を向く状態（パチンコ球Ｂは流出路到達可能位置に位置する）で、そのパチンコ球Ｂは重力に基づいて凹状収容部８５Ａから落下し、回転体収容支持部６０の底部及び流出路４９を流れ、流出路４９（その開口部４１）からセンター役物３０の外部に流出する。
これが第２のパターンである。
始動入賞口２２は、その下方（下流側）に存在しており、上述のようにセンター役物３０内を流れて流出したパチンコ球Ｂについては、始動入賞口２２に入賞する可能性が高いことになる。
【００５０】
図１２Ａ・図１３Ａに示すように、回転体８０が流入許容状態にある場合のうち、凸状収容部８５Ｂによって流入許容状態にある場合には、図１２Ｂ・図１３Ｂ→図１２Ｃ・図１３Ｃに示すように、その凸状収容部８５Ｂ内に流入したパチンコ球Ｂは、第２ステージ部５５の一対の中央端部５９とともに凸状収容部８５Ｂに保持された状態で、回転体８０とともに回転し、凸状収容部８５Ｂが上方を向く状態にまで至る。
そして、図１２Ｃ・図１３Ｃに示すように、凸状収容部８５Ｂが上方を向く状態（パチンコ球Ｂは、第２ステージ部対応位置に位置する）においては、図８Ｂに示すように、その底面がその中央部から左右の各端部に向かうにつれて徐々に若干下方に向かうように傾斜しているとともに、図１２Ｃに示すように、その底面（そのうちの左右の各端部）が第２ステージ部５５（その底面）と同一高さ位置又はそれよりも高い位置にある（これらのことは前述）。
このため、図１２Ｄに示すように、パチンコ球Ｂは、重力に基づいて、凸状収容部８５Ｂから左右のいずれかに落下（離脱）し、凸状収容部８５Ｂ（回転体８０）から第２ステージ部５５に移行する。
第２ステージ部５５のうち回転体収容支持部６０よりも左側の部分に移行したパチンコ球Ｂは、第２ステージ部５５の当該部分を左方向に転動するとともに、手前側へ転動し、第２ステージ部５５のうちの左側の移行部５８ａ（その部分には落下防止部５７が形成されていない）から、第１ステージ部４５（その右端部）に移行する。
これが第３のパターンである。
そして、そのパチンコ球Ｂは、再度、回転体８０の状態等に基づいて、上述の第１〜第３のいずれかのパターンで流れる。
【００５１】
以上のように、このパチンコ機（センター役物３０）では、パチンコ球Ｂが移流部４８に至った時点における回転体８０の状態及びパチンコ球Ｂの勢いによって異なるパターンで、そのパチンコ球Ｂがセンター役物３０内を転動する。
このように、このパチンコ機では、パチンコ球Ｂの流れに大きな多様性があり、遊技者に対して深い興趣を与えることができる。
【００５２】
そして、このパチンコ機では、上述のようにパチンコ球Ｂが多様なパターンでセンター役物３０内を転動し流出することにに関連して、パチンコ球Ｂが始動入賞口２２に入賞する（ひいては、特別な利益が得られる）可能性が変動する。このため、その点でも、遊技者に対して深い興趣を与えることができる。
【００５３】
なお、上記のものはあくまで本発明の一実施形態にすぎず、当業者の知識に基づいて種々の変更を加えた態様で本発明を実施できることはもちろんである。
【図面の簡単な説明】
【００５４】
【図１】本発明の一実施形態のパチンコ機の正面図である。
【図２】本発明の一実施形態のパチンコ機のセンター役物の斜視図である。
【図３】本発明の一実施形態のパチンコ機のセンター役物の正面図である。
【図４】本発明の一実施形態のパチンコ機のセンター役物の分解斜視図である。斜め前方から見た図である。
【図５】本発明の一実施形態のパチンコ機のセンター役物の分解斜視図である。斜め後方から見た図である。
【図６】本発明の一実施形態のパチンコ機のセンター役物のうちの回転体を取り出して示す斜視図である。（Ａ）は、凹状収容部が手前側に位置する状態を示し、（Ｂ）は、凸状収容部が手前側に位置する状態を示す。
【図７】本発明の一実施形態のパチンコ機（センター役物）の部分縦断面図である。図３中のVII−VII線で切断した状態を示す。
【図８Ａ】本発明の一実施形態のパチンコ機のセンター役物のうちの回転体を取り出して示す図である。凹状収容部が上方を向いた状態を示す。（ａ）は側面図（センター役物の側面に対応する面を示す図）であり、（ｂ）はその縦断面図である。
【図８Ｂ】本発明の一実施形態のパチンコ機のセンター役物のうちの回転体を取り出して示す図である。凸状収容部が上方を向いた状態を示す。（ａ）は側面図（センター役物の側面に対応する面を示す図）であり、（ｂ）はその縦断面図である。
【図９Ａ】本発明の一実施形態のパチンコ機（センター役物）の作用を説明する斜視図である。第１のパターンの場合を示す（このことは、図９Ｂにおいても同様である）。
【図９Ｂ】本発明の一実施形態のパチンコ機（センター役物）の作用を説明する斜視図である。図９Ａの次の段階を示す。
【図１０Ａ】本発明の一実施形態のパチンコ機（センター役物）の作用を説明する斜視図である。第２のパターンの場合を示す（このことは、図１０Ｂ〜図１０Ｄにおいても同様である）。
【図１０Ｂ】本発明の一実施形態のパチンコ機（センター役物）の作用を説明する斜視図である。図１０Ａの次の段階を示す。
【図１０Ｃ】本発明の一実施形態のパチンコ機（センター役物）の作用を説明する斜視図である。図１０Ｂの次の段階を示す。
【図１０Ｄ】本発明の一実施形態のパチンコ機（センター役物）の作用を説明する斜視図である。図１０Ｃの次の段階を示す。
【図１１Ａ】本発明の一実施形態のパチンコ機（センター役物）の作用を説明する縦断面図である。第２のパターンの場合を示す（このことは、図１１Ｂ〜図１１Ｄにおいても同様である）。図１０Ａに対応する図である。
【図１１Ｂ】本発明の一実施形態のパチンコ機（センター役物）の作用を説明する縦断面図である。図１０Ｂに対応する図である。
【図１１Ｃ】本発明の一実施形態のパチンコ機（センター役物）の作用を説明する縦断面図である。図１０Ｃに対応する図である。
【図１１Ｄ】本発明の一実施形態のパチンコ機（センター役物）の作用を説明する縦断面図である。図１０Ｄに対応する図である。
【図１２Ａ】本発明の一実施形態のパチンコ機（センター役物）の作用を説明する斜視図である。第３のパターンの場合を示す（このことは、図１２Ｂ〜図１２Ｄにおいても同様である）。
【図１２Ｂ】本発明の一実施形態のパチンコ機（センター役物）の作用を説明する斜視図である。図１２Ａの次の段階を示す。
【図１２Ｃ】本発明の一実施形態のパチンコ機（センター役物）の作用を説明する斜視図である。図１２Ｂの次の段階を示す。
【図１２Ｄ】本発明の一実施形態のパチンコ機（センター役物）の作用を説明する斜視図である。図１２Ｃの次の段階を示す。
【図１３Ａ】本発明の一実施形態のパチンコ機（センター役物）の作用を説明する縦断面図である。第３のパターンの場合を示す（このことは、図１３Ｂ〜図１３Ｃにおいても同様である）。図１１Ａに対応する図である。
【図１３Ｂ】本発明の一実施形態のパチンコ機（センター役物）の作用を説明する縦断面図である。図１１Ｂに対応する図である。
【図１３Ｃ】本発明の一実施形態のパチンコ機（センター役物）の作用を説明する縦断面図である。図１１Ｃに対応する図である。
【符号の説明】
【００５５】
２２  始動入賞口（所定の入賞口）
３０  センター役物（役物）
４５  第１ステージ部
４６ａ，４６ｂ  落下部
４８  移流部
４９  流出路
５５  第２ステージ部
５８ａ，５８ｂ  移行部
８０  回転体
８５Ａ  凹状収容部（第１収容部）
８５Ｂ  凸状収容部（第２収容部）
８６  遮断部
【図１】
2005111191.tif 000003
【図２】
2005111191.tif 000004
【図３】
2005111191.tif 000005
【図４】
2005111191.tif 000006
【図５】
2005111191.tif 000007
【図６】
2005111191.tif 000008
【図７】
2005111191.tif 000009
【図８Ａ】
2005111191.tif 000010
【図８Ｂ】
2005111191.tif 000011
【図９Ａ】
2005111191.tif 000012
【図９Ｂ】
2005111191.tif 000013
【図１０Ａ】
2005111191.tif 000014
【図１０Ｂ】
2005111191.tif 000015
【図１０Ｃ】
2005111191.tif 000016
【図１０Ｄ】
2005111191.tif 000017
【図１１Ａ】
2005111191.tif 000018
【図１１Ｂ】
2005111191.tif 000019
【図１１Ｃ】
2005111191.tif 000020
【図１１Ｄ】
2005111191.tif 000021
【図１２Ａ】
2005111191.tif 000022
【図１２Ｂ】
2005111191.tif 000023
【図１２Ｃ】
2005111191.tif 000024
【図１２Ｄ】
2005111191.tif 000025
【図１３Ａ】
2005111191.tif 000026
【図１３Ｂ】
2005111191.tif 000027
【図１３Ｃ】
2005111191.tif 000028